(57)【特許請求の範囲】
【請求項１】
データ書き換え可能な光ディスクに音声データと映像データを記録した後、記録済みの映像データに合わせて音声データを追加記録する音声追加記録方法であって、
前記光ディスクのデータ領域中に追加音声データを記録するステップと、
追加音声データの同期対象となる映像データに付随して記録された情報中に、追加音声が存在することを示す識別情報が挿入されるようデータを書き換えるステップとを有し、
前記識別情報は、その追加音声データが記録された位置と関連づけられたアドレスを示すものではなく、追加音声が存在することを示し、
前記識別情報を含むナビゲーション情報が前記光ディスクのデータ領域中に記録され、このナビゲーション情報は、前記映像データと音声データに先立つことを特徴とする音声追加記録方法。
【請求項２】
請求項１記載の音声追加記録方法において、
前記追加音声データを記録するステップは、
光ディスクに記録された最後尾データの後から前記追加音声データの記録を開始することを特徴とする音声追加記録方法。
【請求項３】
請求項１記載の音声追加記録方法において、
前記追加音声データを記録するステップは、
映像データとの同期をとるため、データをいつ再生すべきかを示すタイムスタンプを追加音声データに付加することを特徴とする音声追加記録方法。
【請求項４】
請求項１記載の音声追加記録方法において、
前記追加音声データを記録するステップは、前記追加音声データの同期対象となる映像データを探し、この映像データと同期すべき前記追加音声データを記録することを特徴とする音声追加記録方法。
【請求項５】
請求項１記載の音声追加記録方法において、
さらに、前記追加音声データが記録された位置と関連づけられたアドレスを記録するステップを含むことを特徴とする光ディスク記録再生装置。
【請求項６】
光ディスクに記録された追加音声を再生する方法であって、
前記光ディスクのデータ領域中に記録され、追加音声データが記録された位置と関連づけられたアドレスを示すものではなく、追加音声が存在することを示す識別情報を含むナビゲーション情報であって、映像データと音声データに先立つナビゲーション情報を読み出す読み出しステップと、
前記追加音声が前記識別情報に基づいて記録されているか否かを判断する判断ステップと、
判断ステップの結果、前記追加音声が記録されている場合には、前記映像データと前記追加音声データとに含まれるタイムスタンプを用いることによって、前記映像データと前記追加音声データとを同期させて再生する再生ステップと
を有することを特徴とする追加音声再生方法。
【請求項７】
請求項６記載の追加音声再生方法において、
前記再生ステップは、
前記判断ステップの結果、前記追加音声データが記録されている場合には、その追加音声データが記録された位置と関連づけられたアドレスに基づいてその位置を特定する特定ステップと、
この特定ステップの結果に基づいて、前記追加音声データを再生するステップとを含むことを特徴とする追加音声再生方法。
【請求項８】
請求項７記載の追加音声再生方法において、前記アドレスはもう一つのナビゲーション情報に記録されることを特徴とする追加音声再生方法。
【発明の詳細な説明】
【０００１】
【発明の属する技術分野】
本発明は、データ書き換えが可能な光ディスク記録再生装置に係り、特に記録済みの映像に合わせて音声を追加記録する音声追加記録方法及び光ディスク記録再生装置に関するものである。
【０００２】
【従来の技術】
従来より、ビデオテープレコーダ（ＶＴＲ）では、磁気テープの表面近くに映像信号を記録し、映像信号よりも深い位置に音声信号を記録する深層記録方法を用いることにより、音声の追加記録、いわゆるアフターレコーディングを実現している。
これに対し、実用化当初は再生専用であったコンパクトディスク等の光ディスクでは、近年、データ書き換えが可能なディスクとしてＤＶＤ−ＲＡＭ等が提案されている。しかしながら、データ書き換えがＤＶＤ−ＲＡＭ等の光ディスクを用いる光ディスク記録再生装置では、記録済みの映像に合わせて音声を追加記録する方法が確立されていない。
【０００３】
【発明が解決しようとする課題】
以上のように、データ書き換えが可能な光ディスク記録再生装置では、音声を追加記録する方法が確立されていないという問題点があった。
本発明は、上記課題を解決するためになされたもので、データの書き換えが可能な光ディスク記録再生装置において音声の追加記録を実現する音声追加記録方法及び光ディスク記録再生装置を提供することを目的とする。
【０００４】
【課題を解決するための手段】
本発明の音声追加記録方法は、光ディスクのデータ領域中に追加音声データを記録するステップと、追加音声データの同期対象となる映像データに付随して記録された情報中に、追加音声が存在することを示す識別情報が挿入されるようデータを書き換えるステップとを有し、前記識別情報は、その追加音声データが記録された位置と関連づけられたアドレスを示すものではなく、追加音声が存在することを示し、前記識別情報を含むナビゲーション情報が前記光ディスクのデータ領域中に記録され、このナビゲーション情報は、前記映像データと音声データに先立つようにしたものである。
また、上述の音声追加記録方法において、前記追加音声データを記録するステップは、光ディスクに記録された最後尾データの後から前記追加音声データの記録を開始するようにしたものである。
【０００５】
また、本発明の音声追加記録方法において、前記追加音声データを記録するステップは、映像データとの同期をとるため、データをいつ再生すべきかを示すタイムスタンプを追加音声データに付加するようにしたものである。
また、本発明の音声追加記録方法において、前記追加音声データを記録するステップは、前記追加音声データの同期対象となる映像データを探し、この映像データと同期すべき前記追加音声データを記録するようにしたものである。
また、本発明の音声追加記録方法は、さらに、前記追加音声データが記録された位置と関連づけられたアドレスを記録するステップを含むものである。
また、本発明の音声追加記録方法は、前記光ディスクのデータ領域中に記録され、追加音声データが記録された位置と関連づけられたアドレスを示すものではなく、追加音声が存在することを示す識別情報を含むナビゲーション情報であって、映像データと音声データに先立つナビゲーション情報を読み出す読み出しステップと、前記追加音声が前記識別情報に基づいて記録されているか否かを判断する判断ステップと、判断ステップの結果、前記追加音声が記録されている場合には、前記映像データと前記追加音声データとに含まれるタイムスタンプを用いることによって、前記映像データと前記追加音声データとを同期させて再生する再生ステップとを有することを特徴とするものである。
また、本発明の音声追加記録方法において、前記再生ステップは、前記判断ステップの結果、前記追加音声データが記録されている場合には、その追加音声データが記録された位置と関連づけられたアドレスに基づいてその位置を特定する特定ステップと、この特定ステップの結果に基づいて、前記追加音声データを再生するステップとを含むことを特徴とするものである。
また、本発明の音声追加記録方法において、前記アドレスはもう一つのナビゲーション情報に記録されることを特徴とするものである。
【０００６】
【発明の実施の形態】
次に、本発明の実施の形態について図面を参照して詳細に説明する。図１は、本発明の実施の形態となる光ディスク記録再生装置のブロック図である。
図１の光ディスク記録再生装置は、データ書き換えが可能なＤＶＤ−ＲＡＭ等の光ディスク１と、光ディスク１を回転させるモータ２と、光ディスク１に記録されたデータを読み取るための光ピックアップ３と、光ピックアップ３で得られた信号を増幅するＲＦ信号増幅回路４と、ＲＦ信号増幅回路４からの信号を復調し、後述する多重分離回路からのディジタルデータを変調するディジタル信号処理回路５と、光ピックアップ３から光ディスク１に照射するレーザスポットをディスクの半径方向、垂直方向について位置決めするトラッキング／フォーカスサーボ制御回路６と、ディジタル信号処理回路５からのディジタルデータをオーディオデータとビデオデータに分離し、後述するエンコーダからのオーディオデータとビデオデータを多重化するＭＰＥＧ（Moving Picture Experts Group）多重分離回路７と、オーディオデータを復号化するＭＰＥＧオーディオデコーダ８と、ビデオデータを復号化するＭＰＥＧビデオデコーダ９とを有している。
【０００７】
また、光ディスク記録再生装置は、復号化されたオーディオデータを一時的に蓄積するためのメモリ１０と、メモリ１０から出力されたオーディオデータをＤ／Ａ変換するＤ／Ａコンバータ１１と、復号化されたビデオデータを一時的に蓄積するためのメモリ１２と、メモリ１２から出力されたビデオデータをＤ／Ａ変換するＤ／Ａコンバータ１３と、アナログビデオ信号をＮＴＳＣ規格のビデオ信号に変換するＮＴＳＣビデオエンコーダ１４と、ＮＴＳＣ規格のビデオ信号入力により再生映像を表示するディスプレイ装置１５と、外部から入力されたアナログオーディオ信号をＡ／Ｄ変換するＡ／Ｄコンバータ１６と、Ａ／Ｄコンバータ１６から入力されたオーディオデータに対して圧縮・符号化を行うＭＰＥＧオーディオエンコーダ１７と、外部から入力されたアナログビデオ信号をＡ／Ｄ変換するＡ／Ｄコンバータ１８と、Ａ／Ｄコンバータ１８から入力されたビデオデータに対して圧縮・符号化を行うＭＰＥＧビデオエンコーダ１９と、光ディスク記録再生装置全体を制御するシステムコントローラ２０と、ユーザが光ディスク記録再生装置に対して指示を出すための入力装置２１とを有している。
【０００８】
次に、このような光ディスク記録再生装置の記録時の動作について説明する。光ディスク記録再生装置のシステムコントローラ２０は、光ディスク１が装置内部に装填されると、モータ２によって光ディスク１を回転させる。
Ａ／Ｄコンバータ１６は、外部から入力されたアナログオーディオ信号をディジタルオーディオデータに変換する。
一方、Ａ／Ｄコンバータ１８は、外部から入力されたアナログビデオ信号をディジタルビデオデータに変換する。
【０００９】
ＭＰＥＧオーディオエンコーダ１７は、Ａ／Ｄコンバータ１６から入力されたオーディオデータに対してＭＰＥＧ規格の圧縮・符号化を行う。
ＭＰＥＧビデオエンコーダ１９は、Ａ／Ｄコンバータ１８から入力されたビデオデータに対してＭＰＥＧ規格の圧縮・符号化を行う。
【００１０】
次に、ＭＰＥＧ多重分離回路７は、ＭＰＥＧオーディオエンコーダ１７から入力されたオーディオデータ（オーディオストリーム）と、ＭＰＥＧビデオエンコーダ１９から入力されたビデオデータ（ビデオストリーム）とを多重化し、多重化ストリームを出力する。
【００１１】
図２は、本実施の形態の光ディスク（ＤＶＤ−ＲＡＭ）１の論理フォーマット構造を示す図である。
光ディスク１の情報領域は、基準コード及びコントロールデータが記録されたリードイン領域と、データ領域と、データ領域に続くリードアウト領域とに分けられる。
【００１２】
データ領域は、ディスク全体に関する情報及び全タイトル共通のメニュー情報が格納されるビデオマネージャ（Video Manager 、以下、ＶＭＧとする）と、各タイトルの内容が格納される複数のビデオタイトルセット（Video Title Set 、以下、ＶＴＳとする）とに分けられる。
ＶＴＳは、ＶＴＳ制御情報（VTS Information 、以下、ＶＴＳＩとする）と、ＶＴＳ内の各種メニューのためのビデオオブジェクトセット（Video Object Set for Menu 、以下、ＶＯＢＳＭとする）と、各タイトルのためのビデオオブジェクトセット（Video Object Set for Title、以下、ＶＯＢＳＴとする）と、ＶＴＳＩのバックアップとからなる。
【００１３】
ＶＯＢＳＴは、リアルタイム・データの再生単位である１個以上のセルＣに分割される。
各セルＣは、１個以上のパックと呼ばれる構成単位で構成される。パックの主目的は、ストリームの途中から復号再生することを可能にすることである。
【００１４】
そして、各パックは、データの再生順序指定など細かな再生制御を行うためのナビゲーションパケットＮと、ＳＣＲ（System Clock Reference：システム時刻基準参照値）等の情報を含むパックヘッダと、ビデオパケットＶと、オーディオパケットＡとから構成される。
ナビゲーションパケットＮは、プレゼンテーションコントロール情報（Presentation  Control Information 、以下、ＰＣＩとする）と、データサーチ情報（Data Search Information 、以下、ＤＳＩとする）とを含んでいる。
【００１５】
ＭＰＥＧ多重分離回路７による多重化処理では、まずオーディオデータ、ビデオデータをそれぞれパケットと呼ばれる適当な長さのストリームに分割し、オーディオパケットＡ、ビデオパケットＶを適宜切り換えながら時分割多重する。
このとき、各パケットの先頭には、オーディオパケットであるかビデオパケットであるかを識別するための情報等を含むパケットヘッダが付加される。
【００１６】
そして、複数のパケットがパックに束ねられ、各パックの先頭にはナビゲーションパケットＮとパックヘッダが付加される。さらに、１個以上のパックがセルＣに束ねられ、１個以上のセルＣがＶＯＢＳＴに束ねられる。
このような多重化ストリームがＭＰＥＧ多重分離回路７から出力される。
【００１７】
次に、ディジタル信号処理回路５は、ＭＰＥＧ多重分離回路７から入力された多重化ストリームに誤り訂正符号を付加した後、８／１６変調等の変調方式で変調する。
ディジタル信号処理回路５から出力された信号は、ＲＦ信号増幅回路４で増幅され、光ピックアップ３に入力される。
【００１８】
光ピックアップ３は、ＲＦ信号増幅回路４から入力された記録信号に応じてレーザ光を光強度変調し、この光強度変調した記録用レーザ光を光ディスク１に照射し、光ディスク１からの反射光を検出する。なお、光ピックアップ３は、システムコントローラ２０で制御される図示しない駆動手段により光ディスク１の半径方向に移動することが可能である。
【００１９】
一方、反射光の検出により光ピックアップ３で得られた信号は、ＲＦ信号増幅回路４で増幅され、ディジタル信号処理回路５に入力される。
ディジタル信号処理回路５は、ＲＦ信号増幅回路４から入力された信号に基づいて、光ディスク１に照射するレーザスポットと光ディスク１とのディスク半径方向に関する位置的誤差を表すトラッキングエラー信号を生成すると共に、レーザスポットと光ディスク１とのディスク垂直方向に関する位置的誤差を表すフォーカスエラー信号を生成し、これらの信号をトラッキング／フォーカスサーボ制御回路６に出力する。
【００２０】
トラッキング／フォーカスサーボ制御回路６は、光ピックアップ３を駆動し、レーザスポットをディスク半径方向について位置決めすると共にディスク垂直方向について位置決めする。すなわち、トラッキング／フォーカスサーボ制御回路６は、トラッキングエラー信号に基づいてレーザスポットを光ディスク１の目標となるトラックに追従させると共に、フォーカスエラー信号に基づいてレーザスポットを光ディスク１の目標となる記録層に追従させる。
以上のようにして、光ディスク１にオーディオデータとビデオデータが記録される。
【００２１】
次に、光ディスク記録再生装置の再生時の動作について説明する。光ピックアップ３は、システムコントローラ２０の制御に応じて光ディスク１に再生用レーザ光を照射し、光ディスク１からの反射光を検出する。
光ピックアップ３で得られた信号は、ＲＦ信号増幅回路４で増幅され、ディジタル信号処理回路５に入力される。
【００２２】
ディジタル信号処理回路５は、ＲＦ信号増幅回路４から入力された信号を復調し、復調後のデータに対して誤り訂正を行う。
また、ディジタル信号処理回路５は、ＲＦ信号増幅回路４から入力された信号に基づいて、トラッキングエラー信号及びフォーカスエラー信号を生成する。トラッキング／フォーカスサーボ制御回路６の動作は上記と同様である。
【００２３】
次に、ＭＰＥＧ多重分離回路７は、ディジタル信号処理回路５から入力されたディジタルデータ（多重化ストリーム）より、オーディオデータ（オーディオパケットＡを束ねたオーディオストリーム）と、ビデオデータ（ビデオパケットＶを束ねたビデオストリーム）と、ナビゲーションパケットＮとを抽出する。
【００２４】
ＭＰＥＧオーディオデコーダ８は、ＭＰＥＧ多重分離回路７によって抽出されたオーディオデータを復号化する。ＭＰＥＧオーディオデコーダ８によって復号化されたオーディオデータは、メモリ１０にいったん格納される。
一方、ＭＰＥＧビデオデコーダ９は、ＭＰＥＧ多重分離回路７によって抽出されたビデオデータを復号化する。ＭＰＥＧビデオデコーダ９によって復号化されたビデオデータは、メモリ１２にいったん格納される。
【００２５】
続いて、Ｄ／Ａコンバータ１１は、メモリ１０から出力されたオーディオデータをアナログオーディオ信号に変換する。したがって、Ｄ／Ａコンバータ１１の後ろに、例えばアンプとスピーカを接続すれば、再生音声を聞くことができる。一方、Ｄ／Ａコンバータ１３は、メモリ１２から出力されたビデオデータをアナログビデオ信号に変換し、ＮＴＳＣビデオエンコーダ１４は、このアナログビデオ信号をＮＴＳＣ規格のビデオ信号に変換する。こうして、ＮＴＳＣ規格のビデオ信号がディスプレイ装置１５に入力されることにより、再生映像がディスプレイ装置１５の画面に表示される。
【００２６】
次に、音声を追加記録する場合の動作について説明する。最初に、ユーザは、入力装置２１を操作して記録再生装置の倍速再生等の機能により、追加記録を開始する位置を探す。システムコントローラ２０は、ユーザの要求に応じて光ピックアップ３をディスク半径方向に移動させ、倍速再生を行う。これにより、ディスプレイ装置１５には、倍速再生映像が表示される。
【００２７】
続いて、ユーザは、所望の映像を見つけた時点で入力装置２１を操作し、一時停止を指示する。ユーザの一時停止要求に応じてシステムコントローラ２０は、一時停止要求が発生した時点のビデオデータを光ディスク１から繰り返し読み出す。これにより、ディスプレイ装置１５には静止映像が表示される。
【００２８】
そして、ユーザは、追加記録すべきアナログオーディオ信号を光ディスク記録再生装置に入力すると同時に、入力装置２１を操作して音声の追加記録を指示する。入力されたアナログオーディオ信号は、Ａ／Ｄコンバータ１６によってディジタルオーディオデータに変換され、ＭＰＥＧオーディオエンコーダ１７によってＭＰＥＧ規格の圧縮・符号化が行われる。
【００２９】
システムコントローラ２０は、ユーザからの音声追加記録要求が発生すると、上記一時停止を解除して、追加オーディオデータの同期対象となるビデオデータ（音声追加記録要求が発生した時点で読み出していたビデオデータ）に付随して記録されているナビゲーションパケットＮの書き換えを行う。
【００３０】
つまり、システムコントローラ２０は、追加音声が存在することを示す識別情報をナビゲーションパケットＮのＰＣＩあるいはＤＳＩ内に挿入するようＭＰＥＧ多重分離回路７に指示する。ＭＰＥＧ多重分離回路７は、同期対象となるビデオデータと共に抽出したナビゲーションパケットＮを基に、上記識別情報を挿入したナビゲーションパケットＮを生成する。
【００３１】
この識別情報を挿入したナビゲーションパケットＮがディジタル信号処理回路５に入力されることにより、上記記録時と同様の動作でナビゲーションパケットＮの書き換えが行われる。
次に、システムコントローラ２０は、ＭＰＥＧ多重分離回路７に図３のような構造の追加記録用オーディオパケットＡＡを生成させる。
【００３２】
すなわち、ＭＰＥＧ多重分離回路７は、ＭＰＥＧオーディオエンコーダ１７から入力されたオーディオデータをパケットＡＡに分割し、各パケットの先頭にパケットヘッダを付加する。
パケットヘッダは、データをいつ復号再生すべきかを示すタイムスタンプと呼ばれる情報を含んでいる。このタイムスタンプには、再生出力の時刻管理情報（Presentation Time Stamp 、以下、ＰＴＳとする）と、復号の時刻管理情報（Decoding Time Stamp 、以下、ＤＴＳとする）とがある。
【００３３】
ＭＰＥＧ多重分離回路７は、同期対象となるビデオデータ（ビデオパケットＶ）に付加されたパケットヘッダよりタイムスタンプを抽出しており、システムコントローラ２０は、この抽出したタイムスタンプと同じ値のタイムスタンプを有するパケットヘッダを先頭のパケットＡＡに付加するようＭＰＥＧ多重分離回路７に指示を出す。
これにより、先頭の追加記録用オーディオパケットＡＡに付加されたＰＴＳ、ＤＴＳは、同期対象となるビデオデータに付加されたＰＴＳ、ＤＴＳと同じ値となる。
【００３４】
次に、システムコントローラ２０は、光ディスク１のＶＭＧに記録された最後尾データの位置情報を参照することにより、光ディスク１のデータ領域に記録済みのデータのうち最後尾データを探す。システムコントローラ２０は、最後尾データを見つけると、この最後尾データの後ろの位置に光ピックアップ３を移動させる。
【００３５】
追加記録用オーディオパケットＡＡを束ねたストリームがＭＰＥＧ多重分離回路７からディジタル信号処理回路５に入力されることにより、上記記録時と同様の動作で追加記録用オーディオパケットＡＡの記録が行われる。
以上のようにして、光ディスク１に記録された最後尾データの後ろの位置から追加オーディオデータの記録が開始される。
【００３６】
なお、所定の長さの追加オーディオデータを光ディスク１に記録した後、記録すべき追加オーディオデータが残っている場合、システムコントローラ２０は、上記と同様の動作を繰り返す。
すなわち、システムコントローラ２０は、記録すべき追加オーディオデータの同期対象となるビデオデータ（先述の同期対象ビデオデータの後に続くビデオデータ）を再生し、このビデオデータのナビゲーションパケットＮに上記識別情報を挿入するデータ書き換えを行う。
【００３７】
続いて、システムコントローラ２０は、再生したビデオデータのタイムスタンプと同じ値のタイムスタンプを有するパケットヘッダを追加オーディオデータの先頭パケットＡＡに付加するようＭＰＥＧ多重分離回路７に指示を出す。
そして、システムコントローラ２０は、光ディスク１の最後尾データの後ろの位置に光ピックアップ３を移動させ、追加記録用オーディオパケットＡＡの記録を行う。
【００３８】
以上のようなビデオデータの再生と、ナビゲーションパケットＮの書き換えと、追加オーディオデータの記録とを繰り返すことにより、全ての追加オーディオデータの記録が終了する。
追加オーディオデータの記録終了後、システムコントローラ２０は、追加オーディオデータの位置情報を光ディスク１のＶＭＧに書き込む。
【００３９】
次に、音声が追加記録された光ディスク１を再生する場合について説明する。再生時において、ＭＰＥＧ多重分離回路７は、光ディスク１から読み出されたデータよりナビゲーションパケットＮ及びタイムスタンプ（ＰＴＳ，ＤＴＳ）を抽出している。
システムコントローラ２０は、ＭＰＥＧ多重分離回路７から受け取ったナビゲーションパケットＮの情報に上記識別情報が含まれていた場合、ビデオデータとの同期再生が必要な追加音声が存在すると認識する。
【００４０】
追加音声が存在すると認識した場合、システムコントローラ２０は、ＶＭＧに記録された追加オーディオデータの位置情報を参照して、光ディスク１に記録された追加オーディオデータを探し読み出しを行う。
そして、システムコントローラ２０は、追加オーディオデータと識別情報が付加されたビデオデータとを同期再生するようメモリ１０，１２に指示を出す。
【００４１】
つまり、追加オーディオデータと識別情報が付加されたビデオデータは、それぞれメモリ１０，１２に格納されており、システムコントローラ２０は、これらデータに付加されたタイムスタンプ（ＰＴＳ）が示す時刻に追加オーディオデータ、ビデオデータを出力するようメモリ１０，１２に指示を出す。
こうして、ビデオデータと追加オーディオデータの同期をとって再生を行うことができる。
【００４２】
なお、本実施の形態では、ＮＴＳＣ規格を例に挙げて説明しているが、ＰＡＬ規格でもよいことは言うまでもない。ＰＡＬ規格の場合、ＮＴＳＣビデオエンコーダ１４の代わりにＰＡＬビデオエンコーダを設け、このＰＡＬビデオエンコーダでＤ／Ａコンバータ１３からのアナログビデオ信号をＰＡＬ規格のビデオ信号に変換することになる。
【００４３】
また、本実施の形態では、光ディスク記録再生装置の例としてＤＶＤ−ＲＡＭを用いた光ディスク記録再生装置を例に挙げて説明しているが、これに限るものではなく、データ書き換えが可能であれば、その他の光ディスク記録再生装置でもよいことは言うまでもない。
【００４４】
【発明の効果】
本発明によれば、追加音声データの同期対象となる映像データに付随して記録された情報中に、追加音声が存在することを示す識別情報が挿入されるようデータを書き換え、映像データとの同期をとるため、タイムスタンプを追加音声データに付加し、光ディスクに記録された最後尾データの後から追加音声データの記録を開始することにより、データの書き換えが可能な光ディスク記録再生装置において音声の追加記録を実現することができる。
【００４５】
また、再生時に、映像データに付随した情報から識別情報を検出した場合、この映像データに付加されたタイムスタンプと追加音声データに付加されたタイムスタンプとを参照することにより、映像データと追加音声データとを同期再生することができる。
【図面の簡単な説明】
【図１】  本発明の実施の形態となる光ディスク記録再生装置のブロック図である。
【図２】  図１の光ディスクの論理フォーマット構造を示す図である。
【図３】  追加記録用オーディオパケットの構造を示す図である。
【符号の説明】
１…光ディスク、２…モータ、３…光ピックアップ、４…ＲＦ信号増幅回路、５…ディジタル信号処理回路、６…トラッキング／フォーカスサーボ制御回路、７…ＭＰＥＧ多重分離回路、８…ＭＰＥＧオーディオデコーダ、９…ＭＰＥＧビデオデコーダ、１０、１２…メモリ、１１、１３…Ｄ／Ａコンバータ、１４…ＮＴＳＣビデオエンコーダ、１５…ディスプレイ装置、１６、１８…Ａ／Ｄコンバータ、１７…ＭＰＥＧオーディオエンコーダ、１９…ＭＰＥＧビデオエンコーダ、２０…システムコントローラ、２１…入力装置。
【図１】
0004223151.tif 000002
【図２】
0004223151.tif 000003
【図３】
0004223151.tif 000004